(57)【要約】【課題】コスト増を抑制しつつ紙葉類の回収作業の作業効率を向上できる紙葉類収納庫の提供。【解決手段】取込口から取り込まれて集積される紙葉類Ｓの集積方向の一端側を集積面８４で受ける、前記集積方向に沿って直線移動可能に設けられた集積部５１が、前記集積方向に沿って直線移動可能なベース５２と、紙葉類Ｓの回収口とは反対側に当接可能に設けられる回収部８３を一体に備えてベース５２に回収口の方向に移動可能に支持される回収体５３と、回収体５３を回収口の方向に付勢する回収体付勢手段５４とを有する。【選択図】図６
2011054063.tif 000002
【特許請求の範囲】
【請求項１】
外部搬送手段により搬送されてきた紙葉類を取り込む取込口と、
該取込口から取り込まれて集積される紙葉類の集積方向の一端側を集積面で受ける、前記集積方向に沿って直線移動可能に設けられた集積部と、
該集積部を前記集積方向の他端側に向け付勢する集積部付勢手段と、
紙葉類の回収時に開口される外扉付きの回収口とを備えた紙葉類収納庫であって、
前記集積部は、
前記集積方向に沿って直線移動可能なベースと、
紙葉類の前記回収口とは反対側に当接可能に設けられる回収部を一体に備えて前記ベースに前記回収口の方向に移動可能に支持される回収体と、
該回収体を前記回収口の方向に付勢する回収体付勢手段とを有することを特徴とする紙葉類収納庫。
【請求項２】
前記回収体は、閉作動する前記外扉で押圧されて前記回収口とは反対方向に移動する一方、前記外扉による押圧が解除されることで前記回収体付勢手段の付勢力で前記回収口の方向に移動することを特徴とする請求項１に記載の紙葉類収納庫。
【請求項３】
前記回収体には、前記集積面が一体に設けられており、前記回収部は前記集積面に当接する紙葉類から連続する範囲の紙葉類に当接可能であることを特徴とする請求項１または２に記載の紙葉類収納庫。
【請求項４】
前記回収体には、前記回収口の方向に移動した際に、傾動して前記集積面の前記回収口側に凹部を形成する回収補助機構が設けられていることを特徴とする請求項３に記載の紙葉類収納庫。
【請求項５】
前記回収部には、前記集積方向の他端側の先端部に回転ローラが設けられていることを特徴とする請求項１乃至４のいずれか一項に記載の紙葉類収納庫。
【請求項６】
前記回収部が、前記集積部の前記集積方向に沿う直線移動のガイドとなることを特徴とする請求項１乃至５のいずれか一項に記載の紙葉類収納庫。
【発明の詳細な説明】
【技術分野】
【０００１】
本発明は、紙葉類を集積状態で収納する紙葉類収納庫に関する。
【背景技術】
【０００２】
搬送されてきた紙葉類を取込口から取り込んで積み重ねるようにして集積する紙葉類収納庫には、取込口から取り込んだ紙葉類を集積状態で搭載する、集積方向に直線移動可能なステージと、このステージを上方に引き上げるように付勢するバネ機構と、庫内に取り込んだ紙葉類を上方から押し込んでステージ上に移載するプッシャ機構と、収納している紙葉類の回収時に開口状態とされる外扉付きの紙葉類取出口とを有するものがある。このような紙葉類収納庫から紙葉類を回収する際に、回収作業者は、外扉を開いて紙葉類取出口を開口状態とした後、紙葉類が集積状態で搭載されたステージを、手動によってバネ機構の付勢力に抗して下方に押し下げ紙葉類から離間させ、この状態を維持したまま紙葉類を紙葉類取出口を介して取り出すようになっている（例えば、特許文献１参照）。
【先行技術文献】
【特許文献】
【０００３】
【特許文献１】特開２００１−６７５１７号公報
【発明の概要】
【発明が解決しようとする課題】
【０００４】
集積した紙葉類を回収する際に、上記のように回収作業者が手動によってステージをバネ機構の付勢力に抗して下方に押し下げる必要があると、特に回収作業者が女性等の非力な者である場合に、作業効率が低下してしまう場合があった。これに対して、自動でステージを下方に押し下げることも考えられるが、そのための機構を別途設ける必要があり、製造コストが大幅に増大してしまう。
【０００５】
したがって、本発明は、コスト増を抑制しつつ紙葉類の回収作業の作業効率を向上できる紙葉類収納庫の提供を目的とする。
【課題を解決するための手段】
【０００６】
上記目的を達成するために、請求項１に係る発明は、外部搬送手段により搬送されてきた紙葉類を取り込む取込口と、該取込口から取り込まれて集積される紙葉類の集積方向の一端側を集積面で受ける、前記集積方向に沿って直線移動可能に設けられた集積部と、該集積部を前記集積方向の他端側に向け付勢する集積部付勢手段と、紙葉類の回収時に開口される外扉付きの回収口とを備えた紙葉類収納庫であって、前記集積部は、前記集積方向に沿って直線移動可能なベースと、紙葉類の前記回収口とは反対側に当接可能に設けられる回収部を一体に備えて前記ベースに前記回収口の方向に移動可能に支持される回収体と、該回収体を前記回収口の方向に付勢する回収体付勢手段とを有することを特徴としている。
【０００７】
請求項２に係る発明は、請求項１に係る発明において、前記回収体は、閉作動する前記外扉で押圧されて前記回収口とは反対方向に移動する一方、前記外扉による押圧が解除されることで前記回収体付勢手段の付勢力で前記回収口の方向に移動することを特徴としている。
【０００８】
請求項３に係る発明は、請求項１または２に係る発明において、前記回収体には、前記集積面が一体に設けられており、前記回収部は前記集積面に当接する紙葉類から連続する範囲の紙葉類に当接可能であることを特徴としている。
【０００９】
請求項４に係る発明は、請求項３に係る発明において、前記回収体には、前記回収口の方向に移動した際に、傾動して前記集積面の前記回収口側に凹部を形成する回収補助機構が設けられていることを特徴としている。
【００１０】
請求項５に係る発明は、請求項１乃至４のいずれか一項に係る発明において、前記回収部には、前記集積方向の他端側の先端部に回転ローラが設けられていることを特徴としている。
【００１１】
請求項６に係る発明は、請求項１乃至５のいずれか一項に係る発明において、前記回収部が、前記集積部の前記集積方向に沿う直線移動のガイドとなることを特徴としている。
【発明の効果】
【００１２】
請求項１に係る発明によれば、紙葉類を回収する際に、紙葉類の集積方向の一端側を受ける集積面を有する集積部に設けられた回収体が回収体付勢手段の付勢力によって回収口の方向に移動すると、紙葉類の回収口とは反対側に当接可能に設けられた回収部が一体に移動して、当接する紙葉類を回収口側に突出させることになる。よって、回収作業者は、紙葉類を把持しやすくなり、回収口を介した引き抜きが容易となる。しかも、集積部にベースと回収体と回収体付勢手段とを設ける簡素な構成であるため、コスト増を抑制できる。したがって、コスト増を抑制しつつ紙葉類の回収作業の作業効率を向上できる。
【００１３】
請求項２に係る発明によれば、紙葉類を回収する際に、外扉による押圧が解除されると、回収体が回収体付勢手段の付勢力で回収口の方向に移動することになり、紙葉類の回収口とは反対側に当接可能に設けられた回収部が一体に移動して、当接する紙葉類を回収口側に突出させることになる。他方で、紙葉類の回収後に、外扉を閉作動させると、外扉により押圧されることで回収体が回収体付勢手段の付勢力に抗して回収口とは反対方向に移動することになる。このように、回収口の開閉のために必要な外扉の開閉作動を利用して回収体を移動させることができるため、さらに簡素な構成となり、コスト増をさらに抑制できる。
【００１４】
請求項３に係る発明によれば、回収体には集積面が一体に設けられており、回収部が集積面に当接する紙葉類から連続する範囲の紙葉類に当接可能であるため、回収体が回収体付勢手段の付勢力で回収口の方向に移動すると、集積面側の前記範囲の紙葉類を集積面とともに回収口側に突出させることができる。したがって、紙葉類を円滑に突出させることができるため、回収作業者のより安定した回収作業が可能となる。
【００１５】
請求項４に係る発明によれば、回収体が回収体付勢手段の付勢力で回収口の方向に移動すると、集積面側の紙葉類を集積面とともに回収口側に突出させることになるが、それに合わせて、回収補助機構が傾動して集積面の回収口側に凹部を形成する。よって、突出させた紙葉類の集積面側を凹部を介して容易に把持させることができる。したがって、紙葉類の円滑な突出と回収作業者による容易な把持とを両立できる。
【００１６】
請求項５に係る発明によれば、回収部の集積方向の他端側の先端部に回転ローラが設けられているため、回収部が一部の紙葉類を突出させる際に、残りの突出させられない紙葉類に対して回転ローラの転動で円滑に移動できる。したがって、残りの突出させられない紙葉類に過度の圧力が掛かることを防ぎ、欠損等から保護できる。
【００１７】
請求項６に係る発明によれば、回収部が、集積部の集積方向に沿う直線移動のガイドとなるため、集積部をより安定的に直線移動させることができる。したがって、より安定した紙葉類の集積が可能となる。
【図面の簡単な説明】
【００１８】
【図１】本発明の一実施形態に係る紙葉類収納庫の外扉を開いた状態を示す斜視図である。
【図２】本発明の一実施形態に係る紙葉類収納庫の外扉を閉じた状態を示す斜視図である。
【図３】本発明の一実施形態に係る紙葉類収納庫の回収体が集積位置にある状態を示す要部の斜視図である。
【図４】本発明の一実施形態に係る紙葉類収納庫の回収体が突出端位置にある状態を示す要部の斜視図である。
【図５】本発明の一実施形態に係る紙葉類収納庫の回収体が突出端位置にある状態を示す要部の正面図である。
【図６】本発明の一実施形態に係る紙葉類収納庫の回収体が突出端位置にある状態を示す側面図である。
【図７】本発明の一実施形態に係る紙葉類収納庫の回収補助機構を示す側面図である。
【図８】本発明の一実施形態に係る紙葉類収納庫の回収補助機構を示す斜視図である。
【図９】本発明の一実施形態に係る紙葉類収納庫の回収体が集積位置にある状態を示す要部の斜視図である。
【図１０】本発明の一実施形態に係る紙葉類収納庫の回収体が集積位置にある状態を示す側面図である。
【発明を実施するための形態】
【００１９】
本発明の一実施形態に係る紙葉類収納庫を図面を参照して以下に説明する。
本実施形態に係る紙葉類収納庫は、紙幣入金機等の紙葉類処理機に着脱可能に設けられるカセット金庫型のもので、紙葉類としての紙幣を収納するものである。
【００２０】
図１および図２に示す紙葉類収納庫１１は、長さ方向を上下方向にして紙葉類処理機に装填されるもので、図１に示すように、図示略の紙葉類処理機の搬送部（外部搬送手段）により搬送されてきた紙葉類Ｓを取り込む上部の取込口１２と、収納している紙葉類Ｓの回収時に開口される側部の回収口１３とが形成された略直方体形状の収納庫本体１４と、収納庫本体１４の回収口１３を開閉する外扉１５とを有している。
【００２１】
収納庫本体１４は、略長方形状の奥壁部２１と、奥壁部２１の長さ方向と直交する幅方向に沿って延在する一方の端縁部から奥壁部２１に対し垂直方向に延出する天板部２２と、奥壁部２１の幅方向に沿って延在する他方の端縁部から奥壁部２１に対し垂直方向に延出する底板部２３と、奥壁部２１の長さ方向に沿って延在する両端縁部から奥壁部２１に対し垂直方向に延出する一対の側壁部２４および側壁部２５とを有している。そして、収納庫本体１４には、四角枠状に連結された天板部２２、側壁部２５、底板部２３および側壁部２４の奥壁部２１とは反対側が開口しており、この開口部分が上記した回収口１３となっている。
【００２２】
この収納庫本体１４の長さ方向に沿って延在する一方の側壁部２４には、その天板部２２側に、奥壁部２１と直交する方向に延在して上記した取込口１２が形成されている。ここで、収納庫本体１４内には、紙葉類Ｓがこの取込口１２から取り込まれる。なお、図示略の紙葉類処理機の搬送部では長方形状の紙葉類Ｓを長さ方向に沿って搬送することになり、この姿勢のまま取込口１２に紙葉類Ｓが挿入される。
【００２３】
収納庫本体１４の天板部２２の内側には取込口１２に挿入された紙葉類Ｓを案内するガイド板２７が設けられている。ここで、収納庫本体１４内に取込口１２から順次取り込まれる紙葉類Ｓは、収納庫本体１４内で既に取り込まれている紙葉類Ｓのガイド板２７側に順次挿入されることになり、その結果、収納庫本体１４の長さ方向に沿って積み重ねられるように集積されて収納されることになる。ガイド板２７は、取込口１２とは反対側にあって紙葉類Ｓの集積方向に直交する押さえ板部２８と、押さえ板部２８の取込口１２側から取込口１２側ほど天板部２２に近接する傾斜板部２９とを有しており、押さえ板部２８において紙葉類Ｓをその集積方向外側から押さえることが可能となっている。
【００２４】
また、側壁部２４には、図示略のキーで操作される複数具体的には二つのシリンダ錠３２と、各シリンダ錠３２でロックおよびロック解除がなされる複数具体的には二つの図示略のロック機構とが設けられている。他方の側壁部２５の内面には、その長さ方向に沿って延在するガイド溝３３が奥行方向の中間位置に一本形成されており、この側壁部２５に対向する側壁部２４の内面にも図示は略すが同様のガイド溝が一本形成されている。さらに、奥壁部２１の内面にも、図３に示すように、その長さ方向に沿って延在するガイド溝３４が幅方向の中央に一本形成されており、このガイド溝３４の両側にガイド溝３４と平行に凹溝３５が複数具体的には二本形成されている。
【００２５】
図１に示すように、外扉１５は、略長方形の板状をなすもので、その長さ方向に沿って延在する一方の端縁部側が、収納庫本体１４の長さ方向に沿って延在する側壁部２５の回収口１３側の端部に複数具体的には二つのヒンジ３８を介して回動可能に支持されている。これにより回収口１３は外扉付きとなっている。そして、この外扉１５の内面のヒンジ３８とは反対側には複数具体的には二カ所のロック片３９を有するロック部材４０が固定されており、この外扉１５が、図１に示すように回収口１３を開放する開状態から、図２に示すように回収口１３を閉塞する閉状態に揺動すると、図１に示す二カ所のロック片３９がそれぞれ収納庫本体１４の一方の側壁部２４に設けられた図示略のロック機構にロックされる。また、収納庫本体１４の側壁部２４に設けられた複数のシリンダ錠３２がそれぞれ異なるキーで開操作されると、二カ所のロック片３９のロック機構によるロックがそれぞれ解除されて外扉１５が開作動可能な状態となる。
【００２６】
また、外扉１５の内面には、長さ方向に延在する複数具体的には５本の縦リブ４４と、長さ方向と直交する幅方向に延在する複数具体的には５本の横リブ４５とが突設されている。すべての縦リブ４４の突出高さは同じで位置によらず一定となっており、すべての横リブ４５の突出高さも同じで位置によらず一定となっている。なお、縦リブ４４の突出高さは横リブ４５の突出高さよりも高くなっている。
【００２７】
加えて、外扉１５の内面には、長さ方向の天板部２２側に内側部材４６が固定されている。この内側部材４６には、天板部２２とは反対側に抜ける進入凹部４７が外扉１５の幅方向に離間した複数具体的には二カ所に形成されている。
【００２８】
紙葉類収納庫１１は、収納庫本体１４内に収納庫本体１４の長さ方向に沿って直線移動可能に設けられた集積部５１と、集積部５１を取込口１２の方向に付勢する図示略の集積部引張バネ（集積部付勢手段）とを有している。
【００２９】
そして、本実施形態では、集積部５１が、図４〜図６に示すように、ベース５２と、回収体５３と、回収体５３を付勢する複数具体的には二本の圧縮バネ（回収体付勢手段）５４とを有している。
【００３０】
ベース５２は、ベース本体５８と、ベース本体５８に回収体５３を支持する複数具体的には二本のガイドシャフト５９とを有している。
【００３１】
ベース本体５８は、略長方形板状のベース板部６１と、このベース板部６１の幅方向（長さ方向）の両端部からベース板部６１の幅方向に沿ってそれぞれ外側に突出し且つベース板部６１の厚さ方向同側に延出する一対のガイド片部６２と、ベース板部６１の幅方向および厚さ方向に対し直交する奥行方向の一端部からベース板部６１の奥行方向に沿って外側に突出する複数具体的には二カ所の突部６３と、ベース板部６１の奥行方向の他端部からベース板部６１の奥行方向に沿って外側に突出する複数具体的には二カ所の図５に示す突部６４とを有している。
【００３２】
ここで、一対のガイド片部６２は、ベース板部６１の幅方向の両端部の奥行方向の中央位置に形成されている。また、二カ所の突部６３は、ベース板部６１の奥行方向の一端部にベース板部６１の幅方向に並んで対称に形成されており、二カ所の突部６４も、ベース板部６１の奥行方向の他端部にベース板部６１の幅方向に並んで対称に形成されている。
【００３３】
ベース本体５８は、図４に示すように、ベース板部６１の奥行方向の一端部からベース板部６１の厚さ方向に沿ってガイド片部６２と同側に突出する複数具体的には二カ所の係合突部６６と、ベース板部６１の奥行方向の他端部からベース板部６１の厚さ方向に沿ってガイド片部６２と同側に突出する複数具体的には二カ所の係合突部６７とを有している。
【００３４】
ここで、二カ所の係合突部６６は、ベース板部６１の奥行方向の一端部にベース板部６１の幅方向に並んで対称に形成されており、二カ所の係合突部６７も、ベース板部６１の奥行方向の他端部にベース板部６１の幅方向に並んで対称に形成されている。なお、図５に示すように、ベース板部６１の幅方向において、二カ所の係合突部６６は両側の突部６３の両外側に形成されており、二カ所の係合突部６７は両側の突部６４の両外側であって二カ所の係合突部６６と同位置に形成されている。そして、ベース板部６１の幅方向一側の係合突部６６，６７間とベース板部６１の幅方向他側の係合突部６６，６７間とにそれぞれ、上記したガイドシャフト５９がベース板部６１の奥行方向に沿って架設されている。
【００３５】
ベース板部６１には、その奥行方向に沿って延在する矩形状の長穴７０が複数具体的には二カ所形成されており、これら長穴７０は、ベース板部６１の幅方向に並んで対称に形成されている。一方の長穴７０は、ベース板部６１の幅方向の位置を一方の係合突部６６，６７と合わせており、他方の長穴７０は、ベース板部６１の幅方向の位置を他方の係合突部６６，６７と合わせている。両長穴７０は、ベース板部６１の奥行方向において係合突部６７よりも係合突部６６側に偏って形成されている。また、ベース板部６１には、その奥行方向に沿って延在する矩形の切欠７１が一カ所形成されている。この切欠７１は、ベース板部６１の幅方向において一方の係合突部６６とこれに近接する突部６３との間に形成されており、ベース板部６１の奥行方向において係合突部６６および突部６３側に抜けるように形成されている。
【００３６】
上記のベース５２が、図１に示すように、突部６３を回収口１３側にし、ベース板部６１の幅方向および厚さ方向を奥壁部２１と平行させ、且つベース板部６１を天板部２２および底板部２３と平行させた姿勢で収納庫本体１４内に配置されることになり、その際に、一方のガイド片部６２が側壁部２５のガイド溝３３に摺動可能に嵌合され、図１においては図示略の他方のガイド片部６２が側壁部２４の図示略のガイド溝に摺動可能に嵌合される。また、このとき、図５に示す二カ所の突部６４が図３に示す奥壁部２１に形成された二カ所の凹溝３５内の空間に入り込むことになる。加えて、図２に示すように外扉１５を閉状態とすると、図１に示す中央の縦リブ４４が二カ所の突部６３の間の空間に横リブ４５に干渉しない範囲で入り込むことになる。また、この状態で、ガイドシャフト５９は奥壁部２１に対して垂直方向に延在することになる。
【００３７】
そして、ガイド片部６２がガイド溝３３に沿って摺動することで、ベース５２は、ベース板部６１を天板部２２および底板部２３と平行させた姿勢のまま、収納庫本体１４の長さ方向に沿って直線移動することになる。言い換えれば、ベース５２は、上記したように収納庫本体１４の長さ方向に沿って集積される紙葉類Ｓの集積方向に沿って直線移動可能となっている。図示略の集積部引張バネは、図３に示す奥壁部２１のガイド溝３４内に配置されてベース５２を天板部２２側に常時付勢する。なお、紙葉類収納庫１１がセットされる紙葉類処理機には、図示は略すがセット時にベース５２に係合してベース５２つまり集積部５１を集積部引張バネの付勢力に抗して下降させる集積駆動部が設けられており、紙葉類処理機の制御部は、紙葉類収納庫１１へ導入した紙葉類Ｓの枚数に応じた位置に集積部５１を移動させるように集積駆動部を制御する。
【００３８】
回収体５３は、図３〜図６に示すように、回収体本体７５と、回収補助機構７６とを有している。
【００３９】
回収体本体７５は、略長方形の板状の回収体板部８１と、図４に示すように、回収体板部８１から回収体板部８１の厚さ方向同側に突出する複数具体的には四カ所のスライド突起部８２と、図６に示すように、回収体板部８１から回収体板部８１の幅方向（長さ方向）および厚さ方向に対し直交する奥行方向に突出し回収体板部８１の厚さ方向のスライド突起部８２とは反対側に延出する角柱状の回収部８３とが一体に形成された形状をなしている。ここで、回収体板部８１の厚さ方向における回収部８３の延出側の面は、紙葉類収納庫１１内に集積される紙葉類Ｓの集積方向の一端側を受ける集積面８４となっており、回収体５３にはこの集積面８４が一体に設けられている。また、回収体５３は回収部８３も一体に備えている。そして、回収部８３の延出先端部には、図３に示すように回収体板部８１の幅方向における中央に配置凹部８５が形成されている。
【００４０】
回収体５３は、この配置凹部８５を回収体板部８１の幅方向に沿って貫通するように固定された支持軸８８と、配置凹部８５に配置されて支持軸８８にこれを中心に回転可能となるように支持された回転ローラ８９とを有している。なお、このようにして回収部８３の先端部に回転可能に設けられた回転ローラ８９は、図６に示すように、その外周部が、回収部８３の延出先端よりも外側（回収体板部８１とは反対側）に突出しており、回収体板部８１の奥行方向における回収部８３の両外側にも突出している。
【００４１】
ここで、図５に示すように、四カ所のスライド突起部８２のうちの二カ所は、回収体板部８１の幅方向の一端側の奥行方向の中間位置に奥行方向に並んで形成されており、残りの二カ所は、回収体板部８１の幅方向の他端側の奥行方向の中間位置に奥行方向に並んで形成されている。なお、すべてのスライド突起部８２には、回収体板部８１の奥行方向に沿ってガイド穴９１が貫通形成されている。
【００４２】
そして、回収体本体７５は、図３に示すように、回収部８３を奥壁部２１側且つベース５２とは反対側（天板部２２側）に配置した状態で、回収体板部８１にてベース５２のベース板部６１に、互いの厚さ方向、幅方向および奥行方向をすべて一致させて重ねられる。その際に、図５に示すように、回収体板部８１の幅方向一側の二カ所のスライド突起部８２がベース板部６１の幅方向一側の長穴７０内に挿入され、回収体板部８１の幅方向他側の二カ所のスライド突起部８２がベース板部６１の幅方向他側の長穴７０内に挿入されることになる。そして、この状態で、回収体板部８１の幅方向一側の二カ所のスライド突起部８２のガイド穴９１に一方のガイドシャフト５９が摺動可能に挿通され、回収体板部８１の幅方向他側の二カ所のスライド突起部８２のガイド穴９１に他方のガイドシャフト５９が摺動可能に挿通される。ガイドシャフト５９で案内される回収体５３は、図３に示す奥壁部２１と垂直な方向に沿って奥壁部２１側と図１に示す回収口１３側との間で往復移動可能となる。言い換えれば、回収体５３は、ベース５２に、奥壁部２１に近接する位置から回収口１３の方向に移動可能となるように支持されている。また、回収体５３は、図６に示すように、一体の回収体板部８１と回収部８３とによって側面視Ｌ字状をなしている。
【００４３】
ここで、図５に示すように、一方の圧縮バネ５４が、内側に一方のガイドシャフト５９を挿通させて、このガイドシャフト５９に係合する係合突部６７とこのガイドシャフト５９を挿通させる係合突部６７側のスライド突起部８２との間に介装され、他方の圧縮バネ５４が、内側に他方のガイドシャフト５９を挿通させて、このガイドシャフト５９に係合する係合突部６７とこのガイドシャフト５９を挿通させる係合突部６７側のスライド突起部８２との間に介装されている。これにより、回収体５３は、図１に示すように圧縮バネ５４で奥壁部２１とは反対方向つまり回収口１３の方向に付勢されることになる。そして、図５に示すように両係合突部６６側の両スライド突起部８２が両長穴７０の係合突部６６側の縁部に当接する位置を限界として、回収体５３は、ベース５２に対して図１に示す回収口１３側にずれ回収口１３側の突出端位置まで突出する状態となる（図１，図４〜図６に示す状態）。
【００４４】
回収体板部８１には、図３に示すように、奥行方向における回収部８３とは反対側の端部の幅方向の中央位置に、奥行方向に沿って凹む凹部９４が形成されており、この凹部９４を埋めるように、回収補助機構７６の略長方形の板状の傾動ブロック９５が設けられている。この傾動ブロック９５は、厚さ方向の一側の面の幅方向（長さ方向）の中央位置に、厚さ方向の他側に向けて凹む溝部９６が形成されている。溝部９６は、傾動ブロック９５の幅方向および厚さ方向に対し直交する奥行方向の一端から他端近傍まで形成されており、傾動ブロック９５の奥行方向の一端に開口している。また、回収体板部８１には、図６に示すように、その厚さ方向における回収部８３とは反対側に逃部９７が形成されている。逃部９７は、図４に示すように、回収体板部８１の幅方向における凹部９４の両側に厚さ方向に凹んで形成されている。
【００４５】
そして、この傾動ブロック９５が溝部９６を、回収体板部８１の厚さ方向における回収部８３側に向け且つ回収体板部８１の奥行方向外側に開口させるようにして、凹部９４に配置されている。ここで、回収体板部８１には、その凹部９４の底部側を回収体板部８１の幅方向に沿って横断するように回転軸９８が設けられており、この回転軸９８が、回収体板部８１を貫通して逃部９７内に突出している。この回転軸９８は、傾動ブロック９５の奥行方向の他端側を傾動ブロック９５の幅方向に貫通して傾動ブロック９５に固定されており、これにより、傾動ブロック９５は、図３に示すように回収体板部８１と厚さ方向の位置を一致させて凹部９４を埋める閉状態と、図４に示すように凹部９４から回収体板部８１の厚さ方向におけるベース５２側に回収体板部８１と所定角度の鋭角をなすように傾動して凹部９４を露出させる開状態とに傾動可能となっている。なお、傾動ブロック９５は、その奥行方向の一端部が凹部９４の底部と当接することによって、上記開状態を超えるベース５２側への傾動が規制されるようになっている。
【００４６】
そして、回収補助機構７６は、図７および図８に示すように、上記した傾動ブロック９５および回転軸９８に加えて、傾動ブロック９５を開方向に付勢する傾動引張バネ（傾動付勢手段）９９を有している。傾動引張バネ９９は、図８に示すように、一方の逃部９７内に配置されており、一端が回転軸９８に螺合するネジ１００に係止され他端側が回収体板部８１からその厚さ方向においてベース５２側に突出する係止片部１０１に係止されている。なお、この係止片部１０１は、ベース５２の切欠７１内に配置され、この切欠７１内で移動可能となっている。
【００４７】
回収体板部８１には、図４に示すように、その奥行方向における凹部９４側の端部の幅方向における凹部９４の両側位置に、回収体板部８１の奥行方向に沿って外側に突出する突起部１０３が形成されている。
【００４８】
ここで、回収体５３は、図１に示すように、回収体板部８１の奥行方向における回収口１３側が、閉作動する外扉１５の縦リブ４４で押圧されて圧縮バネ５４の付勢力に抗して回収口１３とは反対方向に移動することになる。そして、図２に示すように外扉１５が回収口１３を閉塞する閉状態になると、図１に示す縦リブ４４に当接する回収体板部８１が、回収体５３をベース５２に対して、図３，図９，図１０に示す所定の集積位置に位置させることになる。この集積位置にあるとき、図３に示すように、回収体板部８１の奥行方向における回収部８３とは反対側の端縁部がベース５２のベース板部６１の同側の端縁部とこれらの奥行方向における位置を略一致させることになり、傾動ブロック９５は、ベース５２のベース板部６１で押圧されて傾動引張バネ９９の付勢力に抗して閉状態になって凹部９４を埋める状態となる。
【００４９】
外扉１５が閉状態にあるとき、図１に示す回収体５３の両側の突起部１０３は、両外側の隣接する縦リブ４４間の空間に横リブ４５に干渉しない範囲で入り込むことになる。また、このとき、図３に示すように、回収体５３の回収部８３は、支持軸８８および回転ローラ８９を含んで、奥壁部２１のガイド溝３４内に摺動可能に入り込む。これにより、回収部８３も、奥壁部２１側の集積位置にある状態では、集積部５１の直線移動のガイドとなり、ベース５２の一対のガイド片部６２による集積部５１の直線移動のガイドを補助する。
【００５０】
そして、外扉１５が閉じられた状態では、図１に示す回収体５３およびベース５２を有する集積部５１は、回収体５３の回収体板部８１の突起部１０３側の端面を縦リブ４４に接触させることで上記集積位置を維持したまま、ベース５２の一方のガイド片部６２が側壁部２５のガイド溝３３に、他方のガイド片部６２が側壁部２４の図示略のガイド溝に、図３に示す回収体５３の回収部８３が奥壁部２１のガイド溝３４に、それぞれ案内されて、回収体５３をベース５２と一体としたまま図１に示す収納庫本体１４の長さ方向に移動する。そして、集積部５１は、図示略の集積部引張バネの付勢力で取込口１２側に移動すると、ベース５２の突部６３が外扉１５に固定された内側部材４６の進入凹部４７に入り込む。なお、集積部５１は、取込口１２に最も近づく取込口１２側の移動限界位置を待機位置としており、この待機位置にあるとき、突部６３が進入凹部４７内に位置する。
【００５１】
紙葉類収納庫１１は、例えば、集積部５１が待機位置にある状態で、図示略の紙葉類処理機に装填されることになり、紙葉類収納庫１１の紙葉類処理機への装填が検出されると、図示は略すが、紙葉類処理機の制御部が、紙葉類処理機の集積駆動部を紙葉類収納庫１１の集積部５１に係合させる。
【００５２】
そして、紙葉類処理機の搬送部で搬送されてきた紙葉類Ｓを取込口１２から紙葉類収納庫１１内に順次取り込むと、これらの紙葉類Ｓをガイド板２７で案内して、図９，図１０に示すように集積部５１の集積位置にある回収体５３の回収体板部８１の集積面８４に順次積み重ねるようにして集積させる。その際に、図１０に示すように支持軸８８および回転ローラ８９を含む回収部８３は奥壁部２１に形成されたガイド溝３４内に配置されており、紙葉類Ｓに干渉することはない。また、その際に、紙葉類処理機の制御部が、紙葉類Ｓの集積量の増大に応じて集積駆動部により集積部引張バネの付勢力に抗して集積部５１を、回収体５３を集積位置に位置させた状態のまま取込口１２から離す方向に移動させて、すでに集積された紙葉類Ｓとガイド板２７との間の隙間を略一定に維持して集積を安定的に行わせることになる。つまり、紙葉類処理機の制御部が、紙葉類Ｓの集積量に応じて集積方向に沿って集積部５１を直線移動させることになり、その際に、回収体５３の集積面８４が、取込口１２から取り込まれて集積される紙葉類Ｓの集積方向の一端側を受けることになる。
【００５３】
上記のようにして、紙葉類Ｓの集積量が増大すると、回収体５３の集積面８４に当接する紙葉類Ｓから連続する所定範囲内にある紙葉類Ｓに対しては、その回収口１３とは反対側に、回収体５３の集積面８４を基端として突出する回収部８３が当接可能に配置されることになる。
【００５４】
紙葉類Ｓの回収のため、紙葉類処理機側に回収操作を入力すると、紙葉類処理機の制御部が、集積駆動部の集積部５１への係合を解除する。すると、集積部５１が回収体５３を集積位置に位置させた状態のまま、集積部引張バネの付勢力によって紙葉類Ｓの集積方向の他端側である天板部２２側に向け移動することになり、紙葉類Ｓの集積方向の他端側をガイド板２７の押さえ板部２８に押し付けることになる。つまり、集積された紙葉類Ｓが集積方向両側から集積部５１および押さえ板部２８で挟持される。
【００５５】
次に、作業者が、紙葉類収納庫１１を紙葉類処理機から取り出してシリンダ錠３２にキーを差してロック機構による外扉１５の収納庫本体１４へのロックを解除すると、外扉１５による押圧が解除されることになって、図６に示すように、集積部５１の回収体５３が圧縮バネ５４の付勢力でベース５２に対して回収口１３の方向に突出端位置まで移動することになる。このとき、回収体５３は奥壁部２１に対し垂直方向であって紙葉類Ｓの集積方向とは直交する方向に移動する。すると、これと一体に移動する回収部８３がその回収口１３側にあった紙葉類Ｓに当接してこれらの紙葉類Ｓを持ち上げることになる。その結果、回収体５３の集積面８４に当接する紙葉類Ｓから連続する所定範囲内にある紙葉類Ｓが集積面８４とともに、取込口１２側にある残りの紙葉類Ｓから突出することになる。このとき、回収部８３の先端には回転ローラ８９が保持されているため、回収部８３が残りの紙葉類Ｓに対して回転ローラ８９を転動させながら移動することになり、残りの紙葉類Ｓに対して摩擦負荷を与えることなく移動する。そして、移動後は、残りの紙葉類Ｓの集積方向の集積部５１側の端部に当接して残りの紙葉類Ｓを集積部引張バネの付勢力で押さえ板部２８側に押圧する。
【００５６】
一方、上記のように、回収体５３が突出端位置まで移動すると、回収体５３の凹部９４を埋める状態にあった回収補助機構７６の傾動ブロック９５がベース５２から離れて規制が解除されることになり、その結果、傾動引張バネ９９の付勢力によって、回収部８３とは反対側に開状態まで傾動する。すると、図４に示すように、凹部９４が露出することになり、回収体５３の回収口１３側に凹部９４が形成された状態となる。つまり、回収体５３に設けられた回収補助機構７６は、回収体５３が回収口１３の方向に移動した際に、傾動ブロック９５を傾動させて集積面８４の回収口１３側に凹部９４を形成する。これにより、回収部８３で持ち上げられた紙葉類Ｓの束には、残りの紙葉類Ｓより突出する集積方向の一端側と凹部９４の位置の集積方向他端側とに、それぞれ回収作業者が指を配置可能な空間が形成されることになる。
【００５７】
この状態で、回収作業者は、外扉１５を開いて、突出した紙葉類Ｓの束を集積方向の両側から把持して回収口１３側に引き抜くことになる。すると、この引き抜き前後も、回収体５３は、残りの紙葉類Ｓの集積方向における集積部５１側の端部に、回収部８３の回転ローラ８９において当接しているため、残りの紙葉類Ｓと回収体５３の集積面８４を有する回収体板部８１との間に空間を維持し、また、残りの紙葉類Ｓの回収体板部８１側への不要な倒れを規制する。
【００５８】
そして、残りの紙葉類Ｓについては、回収体板部８１との間の空間が集積方向の一端側において指を配置可能な空間となるため、この空間と、適宜把持可能な量となる紙葉類Ｓと紙葉類Ｓとの間位置とに指を挿入して、集積方向の両側を把持して、引き抜くことになる。なお、回収部８３が紙葉類Ｓの引き抜き方向の中間位置を押圧しているため、集積方向の途中位置への指の挿入時に回収体板部８１との間の空間側に紙葉類Ｓの回収口１３側が容易に倒れることになり、指の挿入が容易となる。また、引き抜きの途中で、回収部８３の回転ローラ８９が紙葉類Ｓから離れると、回収体５３はベース５２とともに集積部引張バネの付勢力で残りの紙葉類Ｓの方向に移動し、その集積方向における集積部５１側の端部に当接して停止する。
【００５９】
必要により上記作業を繰り返すことで、紙葉類収納庫１１からすべての紙葉類Ｓを回収することになる。勿論、収納していた紙葉類Ｓがすべて回収部８３で回収口１３側に突出させられた場合は一回の引き抜きですべての紙葉類Ｓを取り出すことができることになり、また、一回の引き抜き後、残りの紙葉類Ｓの量が少なければ、二回の引き出しですべての紙葉類Ｓを取り出すことができることになる。なお、複数回の引き抜き動作が必要な場合には、最後の紙葉類Ｓを引き抜く際に、回収体板部８１との間の空間と、ガイド板２７の傾斜板部２９との間の空間とに指を挿入して、集積方向の両側を把持して、引き抜くことになる。
【００６０】
ここで、一回目の引き抜きで回収口１３側に突出させられた紙葉類Ｓを引き抜いた後、回収体５３を圧縮バネ５４の付勢力に抗して手動で奥壁部２１側に押し込んで集積位置に位置させると、回収部８３は、奥壁部２１のガイド溝３４内に入り込むことになって、残りの紙葉類Ｓとの当接が解除されることになるため、集積部引張バネの付勢力で回収体５３およびベース５２が移動して、回収部８３を残りの紙葉類Ｓの回収口１３とは反対側に入り込ませて集積面８４を紙葉類Ｓに当接させる状態になる。この状態で、回収部８３への手動押圧を解除すると、回収体５３が突出端位置まで移動して回収部８３が残りの紙葉類Ｓのうち集積面８４に当接するものから連続する所定範囲の紙葉類Ｓを、一回目と同様に持ち上げることになり、一回目と同様の引き抜きが可能となる。よって、このような操作を必要に応じて繰り返すことですべての紙葉類Ｓを紙葉類収納庫１１から回収するようにすることも可能となる。
【００６１】
そして、紙葉類Ｓの回収後、外扉１５を閉じると外扉１５で押圧されて回収体５３が奥壁部２１側に移動して上記集積位置に位置する状態になる。
【００６２】
以上に述べたように、本実施形態の紙葉類収納庫１１によれば、紙葉類Ｓを回収する際に、紙葉類Ｓの集積方向の一端側を受ける集積面８４を有する集積部５１に設けられた回収体５３が圧縮バネ５４の付勢力によって回収口１３の方向に移動すると、回収体５３の紙葉類Ｓの回収口１３とは反対側に当接可能に設けられた回収部８３が一体に移動して当接する紙葉類Ｓを回収口１３側に突出させることになる。よって、回収作業者は、紙葉類Ｓを把持しやすくなり、回収口１３を介した引き抜きが容易となる。しかも、集積部５１にベース５２と回収体５３と圧縮バネ５４とを設ける簡素な構成であるため、コスト増を抑制できる。したがって、コスト増を抑制しつつ紙葉類Ｓの回収作業の作業効率を向上できる。
【００６３】
また、紙葉類Ｓを回収する際に、外扉１５による押圧が解除されると、回収体５３が圧縮バネ５４の付勢力で回収口１３の方向に移動することになり、回収体５３の紙葉類Ｓの回収口１３とは反対側に当接可能に設けられた回収部８３が一体に移動して当接する紙葉類Ｓを回収口１３側に突出させることになる。他方で、紙葉類Ｓの回収後に、外扉１５を閉作動させると、外扉１５により押圧されることで回収体５３が圧縮バネ５４の付勢力に抗して回収口１３とは反対方向に移動することになる。このように、回収口１３の開閉のために必要な外扉１５の開閉作動を利用して回収体５３を移動させることができるため、さらに簡素な構成となり、コスト増をさらに抑制できる。
【００６４】
また、回収体５３には集積面８４が一体に設けられており、回収部８３が集積面８４に当接する紙葉類Ｓから連続する範囲の紙葉類Ｓに当接可能であるため、回収体５３が圧縮バネ５４の付勢力で回収口１３の方向に移動すると、集積面８４側の前記範囲の紙葉類Ｓを集積面８４とともに回収口１３側に突出させることができる。したがって、紙葉類Ｓを円滑に突出させることができるため、回収作業者のより安定した回収作業が可能となる。
【００６５】
また、回収体５３が圧縮バネ５４の付勢力で回収口１３の方向に移動すると、集積面８４側の紙葉類Ｓを集積面８４とともに回収口１３側に突出させることになるが、それに合わせて、回収補助機構７６が傾動して集積面８４の回収口１３側に凹部９４を形成する。よって、突出させた紙葉類Ｓの集積面８４側を凹部９４を介して容易に把持させることができる。したがって、紙葉類Ｓの円滑な突出と回収作業者による容易な把持とを両立できる。
【００６６】
また、回収部８３の集積方向の他端側の先端部に回転ローラ８９が設けられているため、回収部８３が一部の紙葉類Ｓを突出させる際に、残りの突出させられない紙葉類Ｓに対して回転ローラ８９の転動で円滑に移動できる。したがって、残りの突出させられない紙葉類Ｓに過度の圧力が掛かることを防ぎ、欠損等から保護できる。
【００６７】
また、回収部８３が、集積部５１の集積方向に沿う直線移動のガイドとなるため、集積部５１をより安定的に直線移動させることができる。したがって、より安定した紙葉類Ｓの集積が可能となる。
【符号の説明】
【００６８】
１１  紙葉類収納庫
１２  取込口
１３  回収口
１５  外扉
５１  集積部
５２  ベース
５３  回収体
５４  圧縮バネ（回収体付勢手段）
７６  回収補助機構
８４  集積面
８９  回転ローラ
９４  凹部
Ｓ  紙葉類
【図１】
2011054063.tif 000003
【図２】
2011054063.tif 000004
【図３】
2011054063.tif 000005
【図４】
2011054063.tif 000006
【図５】
2011054063.tif 000007
【図６】
2011054063.tif 000008
【図７】
2011054063.tif 000009
【図８】
2011054063.tif 000010
【図９】
2011054063.tif 000011
【図１０】
2011054063.tif 000012